(57)【要約】      （修正有）【課題】計時器用の迅速な取り付け／取り外しを可能にする取り付けデバイスを提供する。【解決手段】腕時計用バンドの第１及び第２の要素１、２を適所にフックすること又はフック解除することを可能にし、第１の要素は、その一方の端に少なくとも１つの棒体１０を有する。第２の要素には、２つの溝２０、２１があり、溝にはそれぞれ、反対側に開いている細長い開口２１０、２２０があり、第１及び第２の要素の一方の要素は、フックされていない位置からフックされている位置へと動くことができ、フックされていない位置においては、一方の要素が他方の要素に対して所定の角度位置となるように向いており、フックされている位置においては、第１及び第２の要素が、一方の要素が他方の要素に対して所定の角度を回転した後に、共面となっており、各溝に棒体が接合し、これによって、第１及び第２の要素が互いにフックされるように保持される。【選択図】図１
2018069056.tif 000002
【特許請求の範囲】
【請求項１】
腕時計用バンドの第１及び第２の要素（１、２）を取り付ける取り付けデバイスであって、
前記第１及び第２の要素（１、２）を適所にフックすること又はフック解除することを可能にし、
前記第１の要素（１）は、その一方の端に少なくとも１つの棒体（１０）を有し、
前記第２の要素（２）には、固定された２つの溝（２０、２１）があり、
前記溝（２０、２１）にはそれぞれ、反対側に開いている細長い開口（２１０、２２０）があり、
前記第１及び第２の要素（１、２）の一方の要素は、フックされていない位置からフックされている位置へと動くことができ、
前記フックされていない位置においては、一方の要素が他方の要素に対して所定の角度位置となるように向いており、
前記フックされている位置においては、前記第１及び第２の要素（１、２）が、一方の要素が他方の要素に対して所定の角度を回転した後に、共面となっており、
各溝に前記棒体（１０）が接合し、これによって、前記第１及び第２の要素（１、２）が互いにフックされるように保持される
ことを特徴とする取り付けデバイス。
【請求項２】
前記溝（２０、２１）の前記細長い開口（２１０、２２０）の寸法構成は、前記棒体（１０）よりわずかに小さい
ことを特徴とする請求項１に記載の取り付けデバイス。
【請求項３】
前記溝（２０、２１）は、まっすぐな円筒状のスロット空洞によって構成しており、
前記スロット空洞の直径は、前記棒体（１０）の直径よりもわずかに大きい
ことを特徴とする請求項１又は２に記載の取り付けデバイス。
【請求項４】
前記第１の要素（１）は、前記棒体（１０）を包囲する中央要素（１１）を有する
ことを特徴とする請求項１〜３のいずれかに記載の取り付けデバイス。
【請求項５】
前記第２の要素には、前記２つの溝（２０、２１）の間に自由空間（２２）があり、前記自由空間（２２）は、前記第１の要素（１）の前記中央要素（１１）を受けるように構成している
ことを特徴とする請求項４に記載の取り付けデバイス。
【請求項６】
前記所定の角度位置は、４５°〜９０°の範囲である
ことを特徴とする請求項１〜５のいずれかに記載の取り付けデバイス。
【請求項７】
前記第２の要素（２）は、単一のブロックによって作られる
ことを特徴とする請求項１〜６のいずれかに記載の取り付けデバイス。
【発明の詳細な説明】
【技術分野】
【０００１】
本発明は、取り付けデバイス、特に、ストランドをケースに又はクラスプをストランドに取り付ける計時器用の取り付けデバイスの分野に関する。
【０００２】
本発明は、さらに、皮革製リストバンド又は装飾用腕輪のための取り付けデバイスに関する。
【背景技術】
【０００３】
古典的には、リストバンドをケース又はクラスプに取り付けるデバイスは、棒体又はピンの形態の構成を有する。このピンは、工具によって取り付けられ又は取り外されなければならず、これによって、例えば、腕時計からリストバンドを外すことができたり、クラスプを交換することができたりする。
【０００４】
ケースに対するリストバンドの取り付け／取り外し、及び／又はリストバンドに対するクラスプの取り付け／取り外しを容易にするために、リストバンドを２つの部分に分離することができることが望ましい。
【０００５】
従来技術のリストバンド又はクラスプにおいては、リストバンドとクラスプを取り付け及び／又は取り外すために工具を用いることが必要である。このことは、ユーザーがリストバンドやクラスプを変えたい場合に、ユーザーにとって実用的ではない。
【発明の概要】
【発明が解決しようとする課題】
【０００６】
本発明の目的は、迅速な取り付け／取り外しを可能にする取り付けデバイス、特に、工具を用いることを必要としないもの、を提供することによって、上記の短所のすべて又はいくらかを改善することである。
【０００７】
少なくとも特定の実施形態において、本発明の別の目的は、使いやすく高価ではない取り付けデバイスを提供することである。
【課題を解決するための手段】
【０００８】
このために、本発明は、腕時計用バンドの第１及び第２の要素を取り付ける取り付けデバイスに関する。前記第１及び第２の要素を適所にフックすること又はフック解除することを可能にし、前記第１の要素は、その一方の端に少なくとも１つの棒体を有する。
【０００９】
本発明によれば、前記第２の要素には、固定された２つの溝があり、前記溝にはそれぞれ、反対側に開いている細長い開口があり、前記第１及び第２の要素の一方の要素は、フックされていない位置からフックされている位置へと動くことができ、前記フックされていない位置においては、一方の要素が他方の要素に対して所定の角度位置となるように向いており、前記フックされている位置においては、前記第１及び第２の要素が、一方の要素が他方の要素に対して所定の角度を回転した後に、共面となっており、各溝に前記棒体が接合し、これによって、前記第１及び第２の要素が互いにフックされるように保持される。
【００１０】
これらの特性のために、このような取り付けデバイスによって、例えば、クラスプをリストバンドストランドに対して、容易にかつ迅速に、取り付け取り外すことができる。
【００１１】
本発明の他のいくつかの好ましい変形態様は、以下の特徴を有する。
*  前記溝の前記細長い開口の寸法構成は、前記棒体よりわずかに小さい。
*  前記溝は、まっすぐな円筒状のスロット空洞によって構成しており、前記スロット空洞の直径は、前記棒体の直径よりもわずかに大きい。
*  前記第１の要素は、前記棒体を包囲する中央要素を有する。
*  前記第２の要素には、前記２つの溝の間に自由空間があり、前記自由空間は、前記第１の要素の前記中央要素を受けるように構成している。
*  前記所定の角度位置は、４５°〜９０°の範囲である。
*  前記第２の要素は、単一のブロックによって作られる。
【００１２】
添付の図面を参照しながら、例として与えられる本発明の特定の実施形態についての以下の説明を読むことによって、本発明の他の特徴及び利点が明確になるであろう。
【図面の簡単な説明】
【００１３】
【図１】本発明の第１の実施形態に係るデバイスの斜視図である。
【図２】図２ａ〜２ｄは、本発明に係るデバイスを用いるためのいくつかの段階を示している。
【発明を実施するための形態】
【００１４】
以下、図１及び２ａ〜２ｄを組み合わせて参照しながら、本発明に係る取り付けデバイスについて説明する。
【００１５】
図１に示すように、取り付けデバイスは、腕時計用バンドの２つの要素１及び２を有しており、これによって、２つの要素１、２を適所にフックし又はフック解除することが可能になる。図示しているように、第１の要素１は、その一端にて、少なくとも１つの棒体１０を有する。例えば、２つの要素１、２は、第１の要素がリストバンドストランド、第２の要素がクラスプであることができる。
【００１６】
第２の要素２には、固定された２つの溝２０、２１がある。その各溝２０、２１には、細長い開口２１０、２２０があり、これらは互いに対して反対側に開いている。好ましいことに、第２の要素２は、単一のブロックによって形成される。
【００１７】
本発明によれば、第１の要素と第２の要素の２つの要素のうちの一方は、フックされていない位置からフックされている位置へと動くことができる。フックされていない位置においては、２つの要素のうちの一方の要素は、他方の要素に対して、所定の角度位置にあるように向いており、フックされている位置においては、２つの要素１、２は、２つの要素の一方の要素が他方の要素に対して所定の角度を回転した後に、共面となっている。これによって、各溝が棒体１０に接合して、２つの要素１、２が互いにフックし合うように保持される。
【００１８】
好ましくは、２つの要素の一方の要素は、他方の要素に対して、垂直に位置し、一方の要素が水平面にあり、他方の要素が横断面にある。したがって、２つの要素のうちの一方の要素の回転は、０°〜９０°、好ましくは、４５°〜９０°の範囲である。この回転は、溝２０、２１の向きに応じて、時計回り又は反時計回りであることができる。
【００１９】
好ましいことに、溝２０、２１の対応する細長い開口２１０、２２０の寸法構成は、あらゆる不時の取り外しを防ぐように棒体１０よりもわずかに小さく、前記開口は、棒体１０の直径よりもわずかに小さな幅を有する。したがって、溝２０、２１を棒体１０上に配置しているときに、ユーザーは、軽い力を用いて棒体１０を挿入して、「クリック」を感じることになる。この「クリック」は、溝２０、２１が棒体１０上に適切に配置されたことを表す。
【００２０】
図１に示すように、溝２０、２１にはそれぞれ、まっすぐな円筒状のスロット空洞によって構成しており、このスロット空洞に向かって細長い開口２１０、２２０が開いている。スロット空洞の直径は、棒体１０の直径よりもわずかに大きく、これによって、一方の要素が他方の要素に対して回転するときに、摩擦を抑え、回転が促進される。しかし、スロット空洞の直径は、遊びがあまりにも大きくて着用者にとって不快であることを防ぐように、大きすぎであるべきではない。
【００２１】
図１に示すように、第１の要素１は、棒体１０を包囲する中央要素１１を有し、第２の要素２には、２つの溝２０、２１の間にあり第１の要素１の中央要素１１を受けるように構成している自由空間２２がある。２つの溝２０、２１は、互いに離れており、間に空間２２を定める。この空間２２は、第２の要素２に対する第１の要素１の位置合わせ時に、中央要素１１を受けるように構成している。
【００２２】
本発明によると、このような取り付けデバイスは、皮革、織物又はプラスチック材料によって作られたフレキシブルなリストバンドのために同じように良好に用いることができ、これによって、リストバンドをケース又はクラスプに取り付けたり、連結式のリストバンドをクラスプに取り付けたりする。
【００２３】
図２ａ〜２ｄは、２つの要素１及び２を組み立てるためのいくつかの段階を示している。
【００２４】
図２ａに示すように、初期において、第１の要素１及び第２の要素２は、互いに垂直に配置されている。そして、図２ｂに示すように、２つの要素１及び２は、互いに対して垂直に配置されたまま、中央要素１０が空間２２内に配置される。
【００２５】
そして、図２に示すように、ユーザーは、棒体１０が各溝２０、２１内にて着座するまで、２つの要素のうちの一方の要素を他方の要素に対して中央要素１１のまわりに回転させる。
【００２６】
また、棒体１０を包囲する中央要素１１がないような第１の要素も、明確に想到することができ、これにおいては、中央要素１１は、回転のための基準としてはたらく第２の要素２の位置合わせを促進する。
【００２７】
前記の本発明の異なる態様によって、特別な工具なしで迅速に容易に、リストバンドの２つの要素を取り付け及び／又は取り外しをすること、又はリストバンドを腕時計ケースに対して取り付け／取り外しすることを可能にするような取り付けデバイスが設けられる。
【００２８】
当然、本発明は、図示した例に制限されず、当業者に明らかな異なる変形態様及び改変が可能である。
【符号の説明】
【００２９】
１  第１の要素
２  第２の要素
１０  棒体
１１  中央要素
２０、２１  溝
２２  自由空間
２１０、２２０  細長い開口
【図１】
2018069056.tif 000003
【図２】
2018069056.tif 000004